(57)【要約】【課題】装置本体の小型化や読み取り時間の短縮化に貢献しつつ、小サイズで厚手の樹脂カード類への読み取りを可能とし、原稿の読み取りの多様化に対応することができる画像読取装置及び画像形成装置を提供すること。【解決手段】画像の読み取り対象となる原稿を積載する原稿トレイ５１と、原稿トレイ５１に積載された原稿を取り出す供給口５５ａと、供給口５５ａで取り出した原稿を搬送する原稿搬送部５２と、原稿搬送部５２に配置して搬送中の原稿の一面側の画像を読み取る光学走査ユニット４１１と、原稿搬送部５２に配置して搬送中の原稿の他面側の画像を読み取る第２読取装置６９と、供給口５５ａとは別に原稿を原稿搬送部５２の中途部に向けて供給する供給口７２と、供給口７２から第２読取装置６９を経由して排出口５５ｂに至る搬送経路が同一平面上に位置するストレート搬送経路５６ａと、を有する。【選択図】図５
2015164292.tif 000002
【特許請求の範囲】
【請求項１】
画像の読み取り対象となる原稿を積載する原稿トレイと、
前記原稿トレイに積載された原稿を取り出す第１供給口と、
前記第１供給口で取り出した原稿を第１排出口に向けて搬送する搬送経路と、
前記搬送経路に配置されて搬送中の原稿の一面側の画像を読み取る第１読取装置と、
前記搬送経路に配置されて搬送中の原稿の他面側の画像を読み取る第２読取装置と、
前記第１供給口とは別に原稿を前記搬送経路の中途部に向けて供給する第２供給口と、
同一平面上に位置し、前記第２供給口から前記第２読取装置を経由して第２排出口に至るストレート搬送経路と、
を備えることを特徴とする画像読取装置。
【請求項２】
前記第２供給口から前記第２排出口に至る前記ストレート搬送経路の中途部に前記第１読取装置を配置した
ことを特徴とする請求項１に記載の画像読取装置。
【請求項３】
前記第１供給口から前記第１読取装置に至る前記搬送経路と、前記第２供給口から前記第２読取装置に至る前記ストレート搬送経路とは、前記第１読取装置よりも搬送方向上流側で合流している
ことを特徴とする請求項１又は請求項２に記載の画像読取装置。
【請求項４】
前記第１供給口から前記第１読取装置及び前記第２読取装置を経由して画像読み取り後の原稿を排出する前記搬送経路の前記第１排出口と、前記第２供給口から前記第２読取装置を経由して画像読み取り後の原稿を排出する前記ストレート搬送経路の前記第２排出口と、が共通であることを特徴とする請求項１乃至請求項３の何れか１の請求項に記載の画像読取装置。
【請求項５】
前記第１供給口から前記第１読取装置及び前記第２読取装置を経由して画像読み取り後の原稿を排出する前記搬送経路の前記第１排出口と、前記第２供給口から前記第２読取装置を経由して画像読み取り後の原稿を排出する前記ストレート搬送経路の前記第２排出口と、が別々であることを特徴とする請求項１乃至請求項３の何れか１の請求項に記載の画像読取装置。
【請求項６】
前記第１読取装置と対向して配置された移動原稿画像読み取り用のスリットガラスと、
前記スリットガラスと同一平面上に配置された固定原稿画像読み取り用のプラテンガラスと、
前記スリットガラスと前記プラテンガラスとの間に配置されて前記プラテンガラスに載置された原稿の位置決めをするための突当部材と、
を更に備え、
前記第２供給口から前記第２読取装置を経由して画像読み取り後の原稿を排出する前記ストレート搬送経路の前記第２排出口が前記突当部材に形成されている
ことを特徴とする請求項４に記載の画像読取装置。
【請求項７】
前記第２供給口は、前記搬送経路を覆うカバーの縦壁面の一部を構成する供給トレイによって開閉可能とされていることを特徴とする請求項１乃至請求項６の何れか１の請求項に記載の画像読取装置。
【請求項８】
前記第２供給口から前記第２排出口に向かって前記ストレート搬送経路を搬送される原稿の画像を前記第１読取装置及び前記第２読取装置の少なくとも一方が読み取った後に、前記原稿を前記第２供給口に向かってスイッチバックするスイッチバック手段を更に備えることを特徴とする請求項１乃至請求項７の何れか１の請求項に記載の画像読取装置。
【請求項９】
原稿を搬送するための搬送ローラ対が前記ストレート搬送経路に設けられており、
前記搬送ローラ対のニップ部は、前記第２供給口に向かってスイッチバックされた画像読み取り後の原稿の一部を前記第２供給口から装置外部に突出させた状態で保持することを特徴とする請求項８に記載の画像読取装置。
【請求項１０】
前記供給トレイに原稿が載置されたことを検知する原稿検知手段が、前記搬送経路と前記ストレート搬送経路とが合流する箇所よりも搬送方向上流側の前記搬送経路に設けられており、
前記原稿検知手段がレジストセンサからなることを特徴とする請求項７乃至請求項９の何れか１の請求項に記載の画像読取装置。
【請求項１１】
画像読み取り後から一定時間経過後に前記レジストセンサによって原稿が検知された場合に、アラーム音やランプの点灯によってユーザに注意喚起することを特徴とする請求項１０に記載の画像読取装置。
【請求項１２】
前記供給トレイは、閉状態にある場合に、前記第１供給口で取り出されて前記搬送経路を搬送される原稿の搬送ガイドの一部となることを特徴とする請求項７乃至請求項１１の何れか１の請求項に記載の画像読取装置。
【請求項１３】
前記突当部材は、前記第２排出口と前記ストレート搬送経路の一部とを構成する切欠部を有することを特徴とする請求項６乃至請求項１２の何れか１の請求項に記載の画像読取装置。
【請求項１４】
前記供給トレイに原稿が載置されたことが前記原稿検知手段によって検知された場合に、前記搬送ローラ対が所定量回転して前記ニップ部で前記原稿を保持することを特徴とする請求項９乃至請求項１３に記載の画像読取装置。
【請求項１５】
前記第１読取装置は、前記第２供給口から前記第２排出口に向かう往路で原稿の一面側の画像を読み取り、
前記スイッチバック手段は、前記第１読取装置によって一面側の画像が読み取られた前記原稿を前記第２供給口に向かってスイッチバックし、
前記第２読取装置は、前記第２排出口から前記第２供給口に向かう復路で前記原稿の他面側の画像を読み取ることを特徴とする請求項８乃至請求項１４に記載の画像読取装置。
【請求項１６】
前記第２読取装置は、前記第２供給口から前記第２排出口に向かう往路で原稿の一面側の画像を読み取り、
前記スイッチバック手段は、前記第２読取装置によって一面側の画像が読み取られた前記原稿を前記第２供給口に向かってスイッチバックし、
前記第１読取装置は、前記第２排出口から前記第２供給口に向かう復路で前記原稿の他面側の画像を読み取ることを特徴とする請求項８乃至請求項１４に記載の画像読取装置。
【請求項１７】
請求項１乃至請求項１６の何れか１に記載の画像読取装置と、
前記第１読取装置及び前記第２読取装置の少なくとも一方によって読み取られた後の画像をシートに形成する画像形成手段と、
を有することを特徴とする画像形成装置。
【発明の詳細な説明】
【技術分野】
【０００１】
本発明は、画像読取装置及び画像形成装置に関する。
【背景技術】
【０００２】
一般に、原稿の画像を読み取るための画像読取装置に搭載される自動原稿搬送装置（以下、単に「ＡＤＦ」と称する）は、原稿トレイに積載された原稿束から原稿を１枚ずつ分離して読取位置に向かって搬送するようになっている。ＡＤＦにより搬送する原稿の画像は、読取位置に配置した画像読取手段により読み取られる。
【０００３】
近年、原稿の両面画像を読み取る場合には、表面画像を第１画像読取手段により読み取るとともに、ＡＤＦ内の搬送経路上に第２画像読取手段を配置し、この第２画像読取手段にて裏面画像を読み取る１パス両面読取方式を採用するＡＤＦが増えてきている。
【０００４】
この際、１パス両面読取方式により原稿の裏面画像を正確に読み取るためには、第２画像読取手段を配置した第２読取位置において、原稿を所定の一定速度で安定して搬送するとともに、原稿を読取面に接近させることが重要である。
【０００５】
このため、第２画像読取手段は、原稿の給紙から排出に至る搬送経路中の比較的直線状の位置に配置されている。
【０００６】
一方、このような第２画像読取手段を配置したことに伴い、通常原稿を主とする第１供給口とは別に、第２供給口を配置し、この第２供給口から名刺サイズ等の小サイズ原稿の画像読み取りを可能としたものが各種提案されている。
【０００７】
なお、ＡＤＦにおいて、給紙から排出に至る搬送経路は、ＡＤＦをコンパクト化しつつなるべく大きなサイズの原稿の搬送及び読み取りを目的として、給紙トレイと排出トレイの一部が上下で離間した状態で重なるように配置している。これにより、給紙から排出に至る搬送経路の中途部には、Ｕターン搬送経路を形成している。
【０００８】
このため、上述した通常の原稿とは、このＵターン搬送経路を用いた原稿の引き継ぎ搬送を可能とする最小サイズ（例えば、葉書サイズ）から最大サイズ（例えば、Ａ４又はＡ３規格サイズの縦搬送）の範囲で予め設定した許容サイズを総称したものである。なお、通常の原稿は、上述したサイズのみを対象として判別する場合の他、例えば、屈曲反転できないような原稿厚さも判別することも可能である。
【０００９】
したがって、小サイズ原稿とは、規格サイズとしては主として名刺サイズがあるが、普通サイズとしての最小サイズよりも小さいものであれば、名刺サイズに限定されるものではない。
【００１０】
このような小サイズ原稿は、例えば、名刺であれば普通紙に比べて厚手の紙であるものの、多少の撓りが発生する程度の搬送経路であれば原稿の搬送が可能であるため、既存のＡＤＦの搬送経路の中途部から挿入可能な位置に第２供給口を配置するだけでよかった。
【００１１】
一方、同じ名刺サイズであっても、例えば、銀行等のキャッシュカードや各種クレジットカード等のような厚手の樹脂カード類（以下、単に「カード」とも称する）にあっては、撓りを発生させることは困難であった。特に、近年のこれらの厚手の樹脂カード類にあっては、ＩＣチップ等を搭載しているなど、撓りの発生は厳禁に近いものであった。
【００１２】
しかしながら、上述した各種の技術にあっては、何れも給紙から排出に至る経路は完全なストレートとはなっていないため、上述した厚手の樹脂カード類を原稿として搬送から読み取りまでを自動で行うことは困難であった。
【００１３】
このため、従来の画像読取装置においては、カードを画像読取装置の原稿載置台上に置き、原稿カバーを閉めてカードの画像を読み取らせていた。しかしながら、原稿カバーとなる原稿送り装置の開閉動作等が必要となり操作が煩雑となるだけでなく、カードを原稿載置台から取り除くことも容易でなく、置き忘れを防止することもできないという問題があった。
【００１４】
そこで、カード読取動作の煩雑さとカード置き忘れを解消する目的で、ＡＤＦ原稿排紙部にカード専用の画像読取手段と搬送装置を設けた構成が提案された（例えば、特許文献１参照）。
【発明の概要】
【発明が解決しようとする課題】
【００１５】
しかしながら、ＡＤＦ原稿排紙部にカード専用の画像読取手段と搬送装置を設けた特許文献１に開示された構成は、画像読取手段がカード専用となるためコストが高く、カード読取用の搬送経路等のスペースを原稿排紙部に設ける必要がある。そのため、コストとサイズ要求が厳しい小型Ａ４複合機には、このようなカード専用の構成を搭載できないという問題があった。
【００１６】
このように、装置本体の小型化、読み取り時間の短縮化に加え、近年の原稿の読み取りの多様化に対応可能な画像読取装置及び画像形成装置が要望されているが、そのような要望に応えるものはなかった。
【００１７】
本発明は、上述のような事情に鑑みてなされたもので、装置本体の小型化や読み取り時間の短縮化に貢献しつつ、カード専用の読取装置を追加で設置することなく、小サイズで厚手のカードを含む多様な原稿の読み取りを可能とし、容易にかつ置き忘れることなくカードを取り除くことができる画像読取装置及び画像形成装置を提供することを目的とする。
【課題を解決するための手段】
【００１８】
本発明に係る画像読取装置は、上記目的を達成するため、画像の読み取り対象となる原稿を積載する原稿トレイと、前記原稿トレイに積載された原稿を取り出す第１供給口と、前記第１供給口で取り出した原稿を第１排出口に向けて搬送する搬送経路と、前記搬送経路に配置されて搬送中の原稿の一面側の画像を読み取る第１読取装置と、前記搬送経路に配置されて搬送中の原稿の他面側の画像を読み取る第２読取装置と、前記第１供給口とは別に原稿を前記搬送経路の中途部に向けて供給する第２供給口と、同一平面上に位置し、前記第２供給口から前記第２読取装置を経由して第２排出口に至るストレート搬送経路と、を有することを特徴とする。
【発明の効果】
【００１９】
本発明では、装置本体の小型化や読み取り時間の短縮化に貢献しつつ、カード専用の読取装置を追加で設置することなく、小サイズで厚手のカードを含む多様な原稿の読み取りを可能とし、容易にかつ置き忘れることなくカードを取り除くことができる画像読取装置及び画像形成装置を提供することができる。
【図面の簡単な説明】
【００２０】
【図１】本発明の実施の形態１に係る画像形成装置の斜視図である。
【図２】本発明の実施の形態１に係る画像形成装置の概略構成図である。
【図３】本発明の実施の形態１に係る第２読取装置を示し、（Ａ）は第２読取装置の固定原稿読取位置の要部の説明図、（Ｂ）は第２読取装置の移動中の要部の説明図、（Ｃ）は第２読取装置の移動原稿読取位置の要部の説明図である。
【図４】本発明の実施の形態１に係る原稿搬送部の概略断面図である。
【図５】本発明の実施の形態１に係る原稿搬送部の供給口開放状態の概略断面図である。
【図６】本発明の実施の形態１に係る原稿搬送部の要部の斜視図である。
【図７】本発明の実施の形態１に係る原稿搬送部を示し、（Ａ）は原稿搬送時の原稿の流れを示す説明図、（Ｂ）はカード搬送時のカードの流れを示す説明図である。
【図８】本発明の実施の形態２に係る原稿搬送部を示し、（Ａ）は原稿搬送時の原稿の流れを示す説明図、（Ｂ）はカード搬送時のカードの流れを示す説明図である。
【図９】本発明の実施の形態２に係る要部の説明図である。
【図１０】本発明の実施の形態２に係るカード搬送過程を示し、（Ａ）は先のカード読み取り状態の説明図、（Ｂ）は先のカード読み取り完了状態の説明図、（Ｃ）は後のカード読取状態の説明図である。
【図１１】本発明の実施の形態３における原稿搬送部を示し、（Ａ）は原稿搬送時の原稿の流れを示す説明図、（Ｂ）はカード搬送時のカードの流れを示す説明図である。
【図１２】本発明の実施の形態３における要部の構成を示す斜視図である。
【図１３】カードがカード供給トレイにセットされた状態を示す説明図である。
【図１４】カードがローラニップで保持された状態を示す説明図である。
【図１５】カードがカード搬送経路を搬送されている状態を示す説明図である。
【図１６】カードがカード搬送経路をスイッチバック搬送されている状態を示す説明図である。
【図１７】カードの上面と下面の画像読み取りが往路と復路で分けて行われる場合のフローチャートである。
【図１８】カードの上面と下面の画像読み取りが往路で同時に行われる場合のフローチャートである。
【図１９】本発明の実施の形態４に係る原稿搬送部を示し、（Ａ）は原稿搬送時の原稿の流れを示す説明図、（Ｂ）はカード搬送時のカードの流れを示す説明図である。
【発明を実施するための形態】
【００２１】
以下、本発明の実施の形態について、図面を用いて説明する。
【００２２】
図１は、本発明に係る画像読取装置を備えた画像形成装置の一実施の形態を示す図であり、画像形成装置を電子写真方式の複写機１に適用した例を示している。複写機１としては、例えば、一般的な静電作像方法を用いて画像を形成するフルカラーの複写機やモノクロ画像を形成する複写機などが挙げられる。また、作像方式としては、電子写真方式以外にも、例えばインクジェット方式等を用いることも可能である。さらに、上述の本発明に係る画像読取装置を備えた画像形成装置は、複写機１として構成される他に、ファクシミリ装置、印刷機又は複合機として構成してもよい。
【００２３】
（実施の形態１）
図１に示すように、複写機１は、画像形成部３と、画像読取部４と、搬送部としての自動原稿搬送装置（以下、単に「ＡＤＦ」とも称する）５と、から主に構成されている。また、本実施の形態において、画像読取部４とＡＤＦ５とは、画像読取装置６を構成する。
【００２４】
図２に示すように、本実施の形態の複写機１は更に給紙部２を備えていてもよい。給紙部２は、サイズの異なるシート状の記録紙Ｐを収納可能とする上下３段の給紙カセット２１Ａ，２１Ｂ，２１Ｃを有している。給紙部２は、給紙カセット２１Ａ，２１Ｂ，２１Ｃに収納された記録紙Ｐをそれぞれピックアップして給紙する給紙装置２１，２２，２３を有している。給紙部２は、これら給紙装置２１，２２，２３から給紙された記録紙Ｐを画像形成部３の所定の画像形成位置まで搬送する各種ローラ等から形成される給紙経路２４を有している。
【００２５】
画像形成部３は、露光装置３１と、複数の感光体ドラム３２と、シアン（Ｃ）、マゼンタ（Ｍ）、イエロー（Ｙ）、ブラック（Ｋ）の異なる色のトナーが充填された現像装置３３と、転写ベルト３４と、二次転写部３５と、定着部３６とを備えている。
【００２６】
画像形成部３は、例えば、画像読取装置６で読み取った読取画像に基づいて、露光装置３１により各感光体ドラム３２を露光（レーザ光Ｌ）して各感光体ドラム３２に潜像を形成する。これにより、各現像装置３３は、各感光体ドラム３２にそれぞれ異なる色のトナーを供給して現像するようになっている。
【００２７】
そして、画像形成部３は、各感光体ドラム３２に現像された像を転写ベルト３４に一次転写し、二次転写部３５で記録紙Ｐにトナー像を二次転写した後に、定着部３６により記録紙Ｐに二次転写したトナー像を溶融して、記録紙Ｐにカラー画像を定着する。
【００２８】
ところで、詳細な構成は省略するが、画像形成部３は、給紙部２の給紙経路２４に搬送された記録紙Ｐを引き継いでレジスト部３７で同期させた状態で二次転写部３５及び定着部３６を経由し、集積トレイ３８に排出する搬送経路３９Ａを有する。
【００２９】
また、画像形成部３は、手差トレイ２５に積載した記録紙（図示せず）をレジスト部３７よりも上流側で搬送経路３９Ａに給紙する手差給紙経路３９Ｂを有する。
【００３０】
さらに、画像形成部３は、記録紙Ｐの両面に画像を形成する場合に、表面側の画像定着後の記録紙Ｐを、スイッチバック経路３９Ｃ及び反転経路３９Ｄを経由してレジスト部３７よりも上流側に再給紙するようになっている。
【００３１】
画像読取部４は、光源及びミラー部材を搭載した第１キャリッジ４１と、ミラー部材を搭載した第２キャリッジ４２と、結像レンズ４３と、撮像部４４とを備えている。
【００３２】
画像読取部４は、詳しくは後述するが、ＡＤＦ５により搬送される原稿Ｓの表面画像を読取位置Ｒ（図４参照）で読み取る場合には、第１キャリッジ４１をスリットガラス４５の直下（図２中、符号Ｈで示す位置）に移動し、その読取位置Ｒで停止させる。
【００３３】
そして、第１キャリッジ４１は、スリットガラス４５上を通過中の原稿Ｓに向かって光源からの照明光を照射する。スリットガラス４５を透過して原稿Ｓで反射した反射光は、第１キャリッジ４１及び第２キャリッジ４２に搭載された各ミラー部材を経由して結像レンズ４３により撮像部４４に結像して読取画像として読み取らせるようになっている。なお、読取位置Ｒにおいて、原稿Ｓの表面画像は結像レンズ４３に関して撮像部４４と共役である。
【００３４】
一方、スロープ４７に突き当てた状態でプラテンガラス４６上に載置された原稿を読み取る場合には、第１キャリッジ４１及び第２キャリッジ４２を、図２において左右方向（副走査方向）に移動させる。そして、各キャリッジ４１，４２を移動させる過程で、光源により原稿Ｓに光を照射し、各キャリッジ４１，４２に搭載された各ミラー部材により原稿Ｓからの反射光を折り返す。その反射光は、結像レンズ４３により結像して撮像部４４で読み取らせる。
【００３５】
なお、上述した給紙部２、画像形成部３、画像読取部４の各種制御は、図示しない本体制御部によってその駆動等が制御されるが、これらの各種制御は公知の技術を用いているために、ここではその詳細な説明は省略する。
【００３６】
ＡＤＦ５は、原稿載置台としての原稿トレイ５１と、各種ローラ等からなる原稿搬送部５２と、画像読み取り後の原稿Ｓを集積する排出トレイ５３と、を備えている。原稿トレイ５１と排出トレイ５３とは、ＡＤＦ５の小型化を目的として、少なくともその一部が離間状態で上下に重ねて配置している。
【００３７】
ＡＤＦ５は、原稿トレイ５１に載置された原稿Ｓの原稿束から最上位の原稿Ｓを１枚ずつ分離して原稿搬送部５２によりスリットガラス４５上に搬送する。
【００３８】
そして、ＡＤＦ５は、原稿Ｓがスリットガラス４５を通過する際に画像読取部４により原稿Ｓの画像を読み取った後、原稿Ｓを排出トレイ５３に排出する。また、ＡＤＦ５は、画像読取部４に対して図示しないヒンジ機構等の開閉機構を介して開閉自在に取り付けられている。
【００３９】
次に、図３を参照して、画像読取部４の詳細な構成について説明する。
【００４０】
画像読取部４は、上述した通り、第１キャリッジ４１と、第２キャリッジ４２と、結像レンズ４３と、撮像部４４とを備えており、これらの各構成部材は画像読取部４の内部にそれぞれ配置されている。
【００４１】
画像読取部４には、透明な部材で形成されてその上面を移動原稿が通過するスリットガラス４５と、透明な部材で形成されてその上面に静止原稿が載置されるプラテンガラス４６と、が間にスロープ４７を介して隣接して配置されている。スリットガラス４５は、スロープ４７と枠部４９とによって外側に所定角度下向き傾斜して配置されている。スロープ４７は、スリットガラス４５とプラテンガラス４６との間で外側に向かうほど所定角度上向き傾斜している。また、スロープ４７は、プラテンガラス４６に原稿を載置した際の位置決め用の突当部材を兼ねている。
【００４２】
画像読取部４の内部には、第１キャリッジ４１及び第２キャリッジ４２を案内する第１レール４８及び図示しない第２レールが副走査方向（図３中、左右方向）に延在するよう設けられている。第１レール４８は、副走査方向と直交する主走査方向に所定の間隔をあけて配置された２本のレールからなる。第２レールについても、第１レール４８と同様の構成である。
【００４３】
第１キャリッジ４１は、第１レールに摺動自在に取り付けられ、図示しない駆動モータにより図示しない第１キャリッジ用駆動ワイヤを介して副走査方向に往復移動可能に構成されている。
【００４４】
また、第２キャリッジ４２は、第２レールに摺動自在に取り付けられ、図示しない駆動モータにより図示しない第２キャリッジ用駆動ワイヤを介して副走査方向に往復移動可能に構成されている。
【００４５】
ここで、これら第１キャリッジ４１及び第２キャリッジ４２は、例えば、２：１の速度比で副走査方向に移動する。このような移動速度の関係により、第１キャリッジ４１及び第２キャリッジ４２の移動があっても、原稿面から結像レンズ４３に至る光路長が変化しないようになっている。
【００４６】
第１キャリッジ４１は、密着型のイメージセンサやレンズ・ＣＣＤ・ミラー等を保持した一体型の光学走査ユニット４１１と、光学走査ユニット４１１を支持するブラケット４１２と、を有する。
【００４７】
光学走査ユニット４１１には、その長手方向両端にピン４１３が設けられている。このピン４１３は、ブラケット４１２の長手方向両端から立ち上げられた支持腕４１４に形成された長穴４１５に嵌合される。
【００４８】
長穴４１５は、図において上下方向（縦方向）に長径なスリット状に形成され、ピン４１３の径は長穴４１５の短径方向の径よりも若干小さい径に設定されている。ブラケット４１２と光学走査ユニット４１１との間には、光学走査ユニット４１１を上方へ押し上げる方向に付勢している押圧バネ４１６が設けられている。なお、押圧バネ４１６は、例えば、４本で構成しているがその本数は特に限らず、また、ゴム等の弾性部材でもよい。
【００４９】
ブラケット４１２は、その下部に第１レール４８が貫通された脚部４１７が設けられ、さらに図示していない駆動手段によって図のＣ方向とＤ方向に移動される。
【００５０】
画像読取部４が組み付けられている状態では光学走査ユニット４１１が押圧バネ４１６によって押し上げられ、プラテンガラス４６等に弾性的に押し付けられる。このとき、光学走査ユニット４１１とプラテンガラス４６等との接触摩擦が小さくなるように、光学走査ユニット４１１の上面には数個の半球状の突起４１８を設けるのが好ましい。なお、本実施の形態の突起４１８は、光学走査ユニット４１１の上面の４隅近くの同等位置に設けられている。
【００５１】
図３（Ａ）は、第１キャリッジ４１のホームポジションの位置を示している。プラテンガラス４６に載置した静止原稿を読み取る際には、第１キャリッジ４１は、ホームポジションから図３の図示右側に示す副走査方向に図示しない駆動装置により第１レール４８に案内されて往復移動する。
【００５２】
一方、ＡＤＦ５を用いて移動原稿の読み取りを行う際には、ホームポジションから図３の図示左方向に移動し、図３（Ｂ）の状態を経て図３（Ｃ）に示すスリットガラス４５の読取位置Ｒで停止し、スリットガラス４５の上面を移動する原稿等の画像を読み取る。
【００５３】
ホームポジションから移動原稿用の読取位置Ｒ、すなわち、スリットガラス４５の真下に移動させる際には、第１キャリッジ４１は、図３（Ｂ）に示すように、スリットガラス４５とプラテンガラス４６との間で上向き傾斜したスロープ４７に沿って進む。その後、スリットガラス４５に到達してからは、図３（Ｃ）に示すように、スリットガラス４５の下向き傾斜に沿って進むように構成されている。
【００５４】
このとき、本実施の形態では光学走査ユニット４１１のピン４１３が支持腕４１４の長穴４１５に嵌合され、かつ、光学走査ユニット４１１が押圧バネ４１６によって上方へ付勢されている。これにより、光学走査ユニット４１１は、その上面に設けられた突起４１８がプラテンガラス４６等の下面に当接しつつ移動することができるように構成されている。
【００５５】
なお、スリットガラス４５とプラテンガラス４６との間のスロープ４７は、第１キャリッジ４１が図３（Ａ）〜図３（Ｃ）の状態に移動するのに伴って光学走査ユニット４１１がスムーズに移動するのを可能にするものである。そのためスロープ４７の下面（光学走査ユニット４１１の突起４１８が接触する側の面）は、スリットガラス４５及びプラテンガラス４６の下面と連続下面を同一面に形成するように構成されている。
【００５６】
このように、ブラケット４１２に上下動可能に支持された光学走査ユニット４１１は、押圧バネ４１６の作用によって常に光学走査ユニット４１１の上面に設けられた突起４１８がスリットガラス４５とプラテンガラス４６との下面に当接しながら移動する。
【００５７】
また、原稿読み取りの際の光学走査ユニット４１１からの光軸は、プラテンガラス４６及びスリットガラス４５のどちらに対しても垂直にすることができる。
【００５８】
したがって、原稿読み取り時における光学走査ユニット４１１とプラテンガラス４６との間隔及び光学走査ユニット４１１とスリットガラス４５との間隔を、それぞれ一定間隔に維持することが可能となる。
【００５９】
これにより、移動原稿をスリットガラス４５の上面を通過させて読み取る移動原稿読み取りの場合、静止原稿をプラテンガラス４６の上面に載置して読み取る静止原稿読み取りの場合、のどちらの場合においても良好な画像の読み取りを行うことが可能となる。
【００６０】
結像レンズ４３は、原稿Ｓからの反射光を撮像部４４に集光結像する。撮像部４４は、ＣＣＤ等の撮像素子で構成され、結像レンズ４３を介して結像された原稿Ｓの反射光像を光電変換して読取画像であるアナログ画像信号を露光装置３１に出力する。
【００６１】
次に、図４及び図５を参照して、ＡＤＦ５の詳細な構成について説明する。
【００６２】
図４及び図５に示すように、原稿トレイ５１は、原稿搬送部５２側を原稿Ｓの先端側として、その先端側が下方、その後端側が上方となるように給紙方向上流側に上向き傾斜して配置されている。原稿トレイ５１は、先端側原稿トレイ５１Ａと後端側原稿トレイ５１Ｂとで分割されており、先端側原稿トレイ５１Ａは軸５１Ｃを回動中心として原稿Ｓの束厚に応じて先端が下方に傾くように回動可能となっている。原稿トレイ５１は、原稿搬送部５２に向かう原稿Ｓの給紙方向と直行する左右方向を位置決めするサイドガイド板５４を有している。
【００６３】
サイドガイド板５４は、原稿トレイ５１と原稿Ｓの幅方向の中心を一致させるように相対的に接近・離間可能な一対のもの、又は、原稿トレイ５１の一方の縁部側に原稿Ｓの一方の縁部を当接させて他方の縁部側のみを移動可能に配置したものの何れでもよい。
【００６４】
原稿搬送部５２は、少なくともその上方を開閉可能としたカバー５５によって覆われている。カバー５５は、原稿Ｓの先端がカバー内部に臨むように原稿トレイ５１の給紙方向下流側端部付近の上方に給紙口５５ａ（第１供給口）を有している。カバー５５は、給紙口５５ａよりも内部に先端側原稿トレイ５１Ａの先端が位置するように、先端側原稿トレイ５１Ａの先端の上方を覆っている。原稿搬送部５２は、給紙口５５ａから排出トレイ５３の上方の排出口５５ｂに至る範囲をカバー５５等に形成されたリブ５５ｃ（詳細は図示せず）等によって原稿搬送経路５６を形成している。さらに、複写機１の全体としての側面側のカバー５５には、カード供給部７１が設けられている。
【００６５】
原稿搬送経路５６は、スリットガラス４５の下向き傾斜に伴い、このスリットガラス４５から排出口５５ｂに至る範囲を、スリットガラス４５の傾斜角度に沿って同一平面上のストレート搬送経路５６ａとしている。
【００６６】
カード供給部７１は、図５及び図６に示すように、供給口（第２供給口）７２と、カード供給トレイ７３と、カードピックアップローラ７４と、カード搬送経路７５と、を有する。
【００６７】
カード供給トレイ７３は、常時は閉じていてカバー５５の側面の一部を構成し、図５及び図６に示すように、供給口７２を開放するように回動可能となっている。このカード供給トレイ７３は、閉状態にある場合には通常原稿である原稿Ｓの搬送ガイドの一部となる。
【００６８】
カードピックアップローラ７４は、カード供給トレイ７３にセットされたカードＣを取り出してカード搬送経路７５にカードを供給する。
【００６９】
カード搬送経路７５は、供給口７２から下向き傾斜したスリットガラス４５に至る経路であり、スリットガラス４５の上流側で原稿搬送経路５６に合流する。
【００７０】
この際、カード搬送経路７５は、スリットガラス４５の下向き傾斜に伴い、供給口７２からスリットガラス４５に至る範囲を、スリットガラス４５の傾斜角度に沿って同一平面上に位置している。これにより、カード搬送経路７５とストレート搬送経路５６ａとは、供給口７２から排出口５５ｂに至る範囲の全般でスリットガラス４５の傾斜角度に沿って同一平面上に位置している。
【００７１】
原稿搬送部５２は、原稿Ｓの原稿搬送方向を基準として給紙口５５ａ側の上流端であって先端側原稿トレイ５１Ａの先端上部に、原稿Ｓの載置により回動するセットフィラー５７を有している。原稿搬送部５２は、給紙口５５ａよりも内側の近傍に配置されたピックアップローラ５８と、原稿搬送経路５６を挟んで対向するように配置された給紙ローラ５９及び分離板６０と、を原稿給紙部として有している。
【００７２】
ピックアップローラ５８は、接触位置において原稿トレイ５１に積載された原稿Ｓのうち、最上位側から数枚（理想的には１枚）の原稿Ｓをピックアップする。
【００７３】
給紙ローラ５９は原稿給送方向に回転可能となっている。分離板６０は、複数枚の原稿Ｓが重送されようとした場合に、給紙ローラ５９の回動移動方向に対して最上位以外の原稿Ｓの抵抗となることにより、原稿Ｓの重送を抑制する。なお、給紙ローラ５９はベルト方式のものでもよいし、分離板６０は給紙ローラ（給紙ベルト）とは逆方向に回転するローラ方式のものでもよい。
【００７４】
原稿搬送部５２は、原稿搬送経路５６を挟んで対向するように原稿Ｓをニップして搬送する複数の搬送ローラ対６１〜６５を有する。なお、これら搬送ローラ対６１〜６５の配置数や配置場所は、例えば、原稿搬送経路５６の経路設計や、ＡＤＦ５が許容する原稿Ｓの最小サイズの原稿搬送方向の長さ等に応じて任意である。
【００７５】
なお、給紙ローラ５９の下流側に隣接して配置した搬送ローラ対６１は、ピックアップローラ５８の駆動タイミングに応じて、給紙した原稿Ｓの先端を突き当ててスキュー搬送を補正し、補正後の原稿Ｓを引き出し搬送する先端整合機能を有するようになっている。
【００７６】
原稿搬送部５２は、スリットガラス４５の上方に対向するように配置して原稿Ｓの画像を読み取らせる第１読取ローラ６６と、排出口５５ｂよりも上流側直前に配置して原稿Ｓを排出口５５ｂから排出トレイ５３に向けて排出する排出ローラ対６７と、を有する。
【００７７】
第１読取ローラ６６は、図示しないコイルスプリング等の付勢部材を用いてスリットガラス４５に向けて付勢されており、原稿Ｓを搬送しつつ、その原稿Ｓをスリットガラス４５に密着させるようになっている。
【００７８】
原稿搬送部５２は、第１読取ローラ６６よりも下流側で搬送ローラ対６４と搬送ローラ対６５との間の比較的直線的に原稿Ｓを搬送する経路上に第２原稿読取装置６８を配置している。
【００７９】
第２原稿読取装置６８は、原稿Ｓ及びカードＣの裏面画像を読み取る読取手段としての第２読取装置６９と、原稿搬送経路５６のストレート搬送経路５６ａを挟んで第２読取装置６９に対向するよう配置された第２読取ローラ７０と、を有している。
【００８０】
第２読取装置６９は、原稿Ｓ及びカードＣの表面画像を画像読取部４の撮像部４４で読み取った後の原稿Ｓ及びカードＣの裏面画像を読み取るように密着型のイメージセンサ等を用いている。
【００８１】
第２読取ローラ７０は、第２読取装置６９における原稿Ｓ及びカードＣの浮きを抑えると同時に、第２読取装置６９におけるシェーディングデータを取得するための基準白部を兼ねている。なお、原稿Ｓ及びカードＣの裏面画像の読み取りを行わない場合には、原稿Ｓ及びカードＣは第２読取装置６９を素通りするようになっている。
【００８２】
第２読取ローラ７０は、図示しないギャップ調整機構により、第２読取装置６９と原稿Ｓ及びカードＣとの距離（以下、「搬送ギャップ」と称する）に関して、画像品質を損なわない焦点深度に合わせた適切な距離を保つようになっている。
【００８３】
（ＡＤＦ５の各種センサ構造）
一方、原稿トレイ５１には、原稿トレイ５１に載置した原稿Ｓの向きが縦長か横長の何れであるかを検知する第１原稿長さ検知センサ８１Ａと第２原稿長さ検知センサ８１Ｂとを給送方向に沿って離隔して設けている。
【００８４】
第１原稿長さ検知センサ８１Ａと第２原稿長さ検知センサ８１Ｂとは、例えば、サイドガイド板５４の対向距離を検知する検知センサ（図示せず）と併用して原稿トレイ５１に載置された原稿Ｓのサイズ検知センサとして機能する。
【００８５】
例えば、サイドガイド板５４の対向距離がＡ４規格サイズの長手方向の長さを検知し、第１原稿長さ検知センサ８１Ａが原稿Ｓを検知しかつ第２原稿長さ検知センサ８１Ｂが原稿Ｓを検知していないとき、図示しないＡＤＦ制御部はＡ４横置きと判定する。
【００８６】
また、サイドガイド板５４の対向距離がＡ４規格サイズの長手方向の長さを検知しているときに、第１原稿長さ検知センサ８１Ａと第２原稿長さ検知センサ８１Ｂとが原稿Ｓを検知しているとき、ＡＤＦ制御部はＡ３縦置きと判定する。
【００８７】
なお、これらの原稿サイズや縦置き・横置きの判定は公知であるため、上述した以外の原稿載置パターンの判定方法は省略する。また、第１原稿長さ検知センサ８１Ａ及び第２原稿長さ検知センサ８１Ｂには、光学的手段により非接触で検知する反射型センサ又は接触式のアクチュエータ等の接触型センサを用いてもよい。
【００８８】
また、原稿トレイ５１の先端寄りの底面付近には、セットフィラー５７の先端部の移動軌跡上の最下部を検知することによって、原稿トレイ５１に原稿Ｓが載置されたか否かを検知する原稿セットセンサ８２が設けられている。
【００８９】
例えば、上述した原稿Ｓのサイズや載置方向の検知とは別に、原稿セットセンサ８２がセットフィラー５７の先端を検知しているときに、ＡＤＦ制御部はＡＤＦ５に原稿Ｓがセットされていると判定する。
【００９０】
また、原稿セットセンサ８２がセットフィラー５７の先端を検知していないとき、すなわち、原稿Ｓによってセットフィラー５７の先端が回動しているときに、ＡＤＦ制御部はＡＤＦ５に原稿Ｓがセットされていると判定する。なお、原稿セットセンサ８２は、原稿トレイ５１と原稿搬送部５２との何れに設けてもよい。
【００９１】
また、先端側原稿トレイ５１Ａの先端の下方には、ホームポジションセンサ８３が設けられている。例えば、原稿トレイ５１に原稿Ｓが載置されていない状態、すなわち、先端側原稿トレイ５１Ａにピックアップローラ５８が直接接触している状態をホームポジションとして規定する。そして、そのホームポジションセンサ８３と先端側原稿トレイ５１Ａとの離間距離を基準とし、その離間距離であることをホームポジションセンサ８３が検知しているときに、ＡＤＦ制御部は先端側原稿トレイ５１Ａがホームポジションにあると判定する。
【００９２】
また、原稿搬送部５２は、給紙適正位置センサ８４、突当センサ８５、原稿幅センサ８６、読取入口センサ８７、レジストセンサ８８、排出センサ８９を、原稿Ｓの搬送方向上流側から下流側に向かってこの順に配置している。
【００９３】
給紙適正位置センサ８４は、先端側原稿トレイ５１Ａの先端部の上方に配置し、原稿搬送経路５６で搬送中の原稿Ｓの有無を検知する。給紙適正位置センサ８４は、原稿載置面に載置された原稿Ｓの給送方向前端部が適切な高さである給紙適正位置に保持されているかを検知する。
【００９４】
突当センサ８５は、給紙ローラ５９と搬送ローラ対６１との間に配置している。突当センサ８５が原稿Ｓの先端及び後端を検知したときに、図示しない制御回路は、その搬送距離に対応するモータパルスから原稿Ｓの搬送方向の長さを判定する。
【００９５】
原稿幅センサ８６は、搬送ローラ対６１と搬送ローラ対６２との間に配置している。原稿幅センサ８６は、原稿Ｓの幅方向に沿って複数並べた発光素子と、この発光素子と原稿搬送経路５６を挟んで対向位置に配置した受光素子と、を備えている。受光素子の検知結果に基づいて、ＡＤＦ制御部は原稿Ｓの幅を判定する。
【００９６】
なお、読取入口センサ８７、レジストセンサ８８、排出センサ８９は、原稿Ｓの搬送距離や搬送速度等の搬送制御用、並びにジャム検知用等に用いられる。読取入口センサ８７は、搬送ローラ対６２と搬送ローラ対６３との間のＵターン搬送経路５６ｂの中間部付近に配置している。レジストセンサ８８は、搬送ローラ対６３と第１読取ローラ６６との間のＵターン搬送経路５６ｂの終端部付近に配置されており、原稿Ｓの先端を検知することで、先端レジストの調整を行うようになっている。排出センサ８９は、搬送ローラ対６４と第２読取装置６９との間のストレート搬送経路５６ａの中間部付近に配置している。
【００９７】
また、これらＡＤＦ５における各種の駆動制御等はＡＤＦ制御部の他、その一部又は全ての制御に関して、本体制御部で行ってもよい。なお、上述した各種センサ等を用いたＡＤＦ制御部による制御は一例であって、本実施の形態における固有の制御ではない。したがって、各種センサの配置や機能及びその制御は公知の技術を用いることができるため、ここでは具体的なＡＤＦ制御部による制御例の説明は省略する。
【００９８】
上記の構成において、原稿Ｓの画像を読み取る場合には、図４に示すように、原稿トレイ５１に原稿Ｓをセットし、図示しないスタートボタンを押下することで最上位の原稿Ｓから順に原稿搬送部５２へと繰り出される。
【００９９】
そして、図７（Ａ）に示すように、原稿Ｓは、給紙口５５ａから図の円で省略するＵターン搬送経路５６ｂで折り返されるようにＵターン搬送される。この後、原稿Ｓは、スリットガラス４５の上面を通過する際に、第１読取ローラ６６の加圧でスリットガラス４５に密着されつつイメージセンサとしての光学走査ユニット４１１により一面（例えば、表面）の画像が読み取られる。
【０１００】
さらに、原稿Ｓの他面（例えば、裏面）の画像を読み取る場合には、原稿Ｓが第２読取装置６９を通過する際に、第２読取ローラ７０の加圧で第２読取装置６９に密着されつつ第２読取装置６９により他面の画像が読み取られる。
【０１０１】
そして、他面（例えば、裏面）の画像を読み取った後の原稿Ｓは、排出ローラ対６７により排出口５５ｂから排出トレイ５３に向けて排出される。
【０１０２】
一方、ストレート搬送経路５６ａは、原稿トレイ５１で設定されている最小サイズ原稿（例えば、葉書サイズ）よりも小さい原稿、特に、銀行等のキャッシュカードや各種クレジットカード等のような厚手の樹脂カード類の搬送（受け渡し）が可能となっている。
【０１０３】
すなわち、ストレート搬送経路５６ａは、その全般が同一平面上にあるとともに、カードピックアップローラ７４、第１読取ローラ６６、搬送ローラ対６４，６５、排出ローラ対６７のそれぞれの隣接間隔がカードＣの縦サイズ（又は横サイズ）以下で配置されている。
【０１０４】
これにより、カードＣの画像を読み取る場合には、まず、図６に示すように、カード供給トレイ７３により供給口７２を開放する。この状態で、カード供給トレイ７３にカードＣをセットし、図示しないスタートボタンを押下することで最上位のカードＣから順にカード搬送経路７５へと繰り出される。
【０１０５】
そして、図７（Ｂ）に示すように、カードＣは、スリットガラス４５の上面を通過する際に、第１読取ローラ６６の加圧でスリットガラス４５に密着されつつ光学走査ユニット４１１により一面（例えば、表面）の画像が読み取られる。
【０１０６】
さらに、カードＣの他面（例えば、裏面）の画像を読み取る場合には、カードＣが第２読取装置６９を通過する際に、第２読取ローラ７０の加圧で第２読取装置６９に密着されつつ第２読取装置６９により他面の画像が読み取られる。
【０１０７】
そして、他面（例えば、裏面）の画像を読み取った後のカードＣは、排出ローラ対６７により排出口５５ｂから排出トレイ５３に向けて排出される。
【０１０８】
このように、本発明は、画像の読み取り対象となる原稿Ｓを積載する原稿トレイ５１と、原稿トレイ５１に積載された原稿Ｓを取り出す給紙口５５ａと、給紙口５５ａで取り出した原稿Ｓを搬送する原稿搬送部５２と、原稿搬送部５２に配置して搬送中の原稿Ｓの一面側の画像を読み取る光学走査ユニット４１１と、原稿搬送部５２に配置して搬送中の原稿Ｓの他面側の画像を読み取る第２読取装置６９と、給紙口５５ａとは別にカードＣを原稿搬送部５２に向けて供給する供給口７２と、供給口７２から第２読取装置６９を経由して排出口５５ｂに至る搬送経路が同一平面上に位置するストレート搬送経路５６ａと、を有することにより、ＡＤＦ５の小型化や読み取り時間の短縮化に貢献しつつ、小サイズで厚手の樹脂カード類への読み取りを可能とし、原稿の読み取りの多様化に対応することができる。
【０１０９】
ところで、本発明は、上記実施の形態１の構成に限定されるものではなく、その趣旨及び技術的思想を逸脱しない範囲内で種々の構成が可能である。以下、他の実施の形態を順を追って説明する。
【０１１０】
（実施の形態２）
図８〜図１０は、本発明の実施の形態２を示す。なお、この実施の形態２において、複写機１の全体図（上記図１，２相当）及びＡＤＦ５の全体図（上記図４，５相当）の図示は省略し、上記実施の形態１と同一の構成若しくは機能的に同一の構成には、同一の符号を付してその詳細な説明は省略する。
【０１１１】
図８及び図９に示すように、実施の形態２では、画像読取部４のスリットガラス１４５はプラテンガラス４６と同一平面上に水平に配置されている。また、スリットガラス１４５とプラテンガラス４６との間には、プラテンガラス４６に載置した原稿の位置決め用の突当部材１４７が配置されている。
【０１１２】
突当部材１４７には、スリットガラス１４５の上面とプラテンガラス４６の上面とで同一平面上となる底面となる貫通穴１４７ａが傾斜面１４７ｃの中央に形成されている。貫通穴１４７ａは、スリットガラス１４５の上面からプラテンガラス４６の上面に向かって貫通しているとともに、図９に示すように、カードＣの幅（短辺側）よりもやや幅広に形成されている。これにより、貫通穴１４７ａには、カードＣが貫通可能となっている。
【０１１３】
一方、原稿Ｓ及びカードＣの裏面画像を読み取る読取手段としての第２読取装置６９は、突当部材１４７よりも搬送方向上流側で、かつ、第１読取ローラ６６よりも搬送方向下流側に配置されている。
【０１１４】
これにより、突当部材１４７よりも手前、すなわち上流側で原稿Ｓ又はカードＣの裏面画像の読み取りが可能となっている。また、貫通穴１４７ａの下流端はカードＣの排出口１４７ｂとなっている。
【０１１５】
したがって、この実施の形態２においても、供給口７２から排出口１４７ｂに至る経路を同一平面上のストレート搬送経路５６ａとすることができる。
【０１１６】
上記の構成において、原稿Ｓの画像を読み取る場合には、図４に示すように、原稿トレイ５１に原稿Ｓをセットし、図示しないスタートボタンを押下することで最上位の原稿Ｓから順に原稿搬送部５２へと繰り出される。
【０１１７】
そして、図８（Ａ）に示すように、原稿Ｓは、給紙口５５ａから図の円で省略するＵターン搬送経路５６ｂで折り返されるようにＵターン搬送される。この後、原稿Ｓは、スリットガラス１４５の上面を通過する際に、第１読取ローラ６６の加圧でスリットガラス１４５に密着されつつ光学走査ユニット４１１により一面（例えば、表面）の画像が読み取られる。
【０１１８】
さらに、原稿Ｓの他面（例えば、裏面）の画像を読み取る場合には、原稿Ｓが第２読取装置６９を通過する際に、第２読取ローラ７０の加圧で第２読取装置６９に密着されつつ第２読取装置６９により他面の画像が読み取られる。
【０１１９】
そして、他面（例えば、裏面）の画像を読み取った後の原稿Ｓは、突当部材１４７により上向き搬送された後、排出ローラ対６７により排出口５５ｂから排出トレイ５３に向けて排出される。
【０１２０】
一方、ストレート搬送経路５６ａは、原稿トレイ５１で設定されている最小サイズ原稿（例えば、葉書サイズ）よりも小さい原稿、特に、銀行等のキャッシュカードや各種クレジットカード等のような厚手の樹脂カード類の搬送（受け渡し）が可能となっている。
【０１２１】
すなわち、ストレート搬送経路５６ａは、その全般が同一平面上にあるとともに、カードピックアップローラ７４、第１読取ローラ６６、スリットガラス１４５、貫通穴１４７ａ、プラテンガラス４６に至る経路を同一平面上に有している。
【０１２２】
この際、第１読取ローラ６６のみではカードＣが完全に抜けないため、図１０に示すように、第１読取ローラ６６との離間距離がカードＣのサイズ以下となるように、第２読取装置６９と突当部材１４７の上流端との間に搬送コロ６６Ａを配置するのが好ましい。
【０１２３】
これにより、カードＣの画像を読み取る場合には、まず、図８（Ｂ）に示すように、カード供給トレイ７３により供給口７２を開放した状態で、カード供給トレイ７３にカードＣをセットする。そして、図示しないスタートボタンを押下することで最上位のカードＣから順にカード搬送経路７５へと繰り出される。
【０１２４】
そして、カードＣは、スリットガラス１４５の上面を通過する際に、第１読取ローラ６６の加圧でスリットガラス１４５に密着されつつ光学走査ユニット４１１により一面（例えば、表面）の画像が読み取られる。
【０１２５】
さらに、カードＣの他面（例えば、裏面）の画像を読み取る場合には、カードＣが第２読取装置６９を通過する際に、第２読取装置６９により他面の画像が読み取られる。
【０１２６】
そして、他面（例えば、裏面）の画像を読み取った後のカードＣは、搬送コロ６６Ａによって貫通穴１４７ａ及び排出口１４７ｂからプラテンガラス４６の上面側に向けて排出される。
【０１２７】
なお、本実施の形態２では、カードＣは、その全体が貫通穴１４７ａから抜け出るようにはなっていない。しかしながら、例えば、１枚目のカードＣ１の読み取り後、２枚目以降のカードＣ２を読み取る際には、図１０に示すように、次のカードＣ２によって先のカードＣ１を押し出すことにより、プラテンガラス４６の上面に順次並列に排出されるようになっている。
【０１２８】
（実施の形態３）
図１１〜図１９は、本発明の実施の形態３を示す。なお、この実施の形態３において、複写機１の全体図（上記図１，２相当）及びＡＤＦ５の全体図（上記図４，５相当）の図示は省略し、上記実施の形態１，２と同一の構成若しくは機能的に同一の構成には、同一の符号を付してその詳細な説明は省略する。
【０１２９】
特許文献１に開示された画像読取装置では、カード型原稿の画像を読み取るための読取手段及び搬送手段を備えるカード読取ユニットを設ける必要がある。しかしながら、このようなカード読取ユニットは、Ａ３サイズが通紙可能な大型のＡＤＦにしか搭載することができない。
【０１３０】
これに対して、本実施の形態は、Ａ４サイズまでしか通紙できない小型ＡＤＦでも搭載可能なカード型原稿読取手段に関する。本実施の形態においても、画像読取部４とＡＤＦ５を用いた原稿読取方法として、フラットベッド読み取りとＡＤＦ読み取りを採用する。
【０１３１】
フラットベッド読み取りでは、ＡＤＦ５が開閉され、その上面がフラットベッド読取面であるプラテンガラス４６上に原稿がセットされる。ここで、原稿とは、通常原稿としての原稿Ｓと、カード型原稿としてのカードＣとを指す。そして、第１読取装置としての光学走査ユニット４１１が左右に移動し、原稿の画像を読み取る。フラットベッド読み取りでは、原稿が移動しないため、ＡＤＦ読み取りと比較して高精度で原稿の画像を読み取ることが可能である。
【０１３２】
ＡＤＦ読み取りでは、ＡＤＦ５が閉じた状態で、原稿トレイ５１にセットされた原稿Ｓを１枚ずつ分離して排出トレイ５３まで搬送する。原稿搬送中に、フラットベッド読取ユニットとして機能する光学走査ユニット４１１とＡＤＦ読取ユニットとして機能する第２読取装置６９が原稿Ｓの画像を表裏同時に読み取る。このように、ＡＤＦ読み取りは、原稿Ｓの画像を表裏同時に読み取るため、フラットベッド読み取りと比較して大量の原稿Ｓの画像を素早く読み取ることが可能である。
【０１３３】
本実施の形態におけるカード搬送経路７５は、図１１（Ｂ）に示すように、供給口７２から、水平に配置されたスリットガラス１４５を経て、突当部材１４７（図９参照）の貫通穴１４７ａに至る経路であり、ストレート搬送経路を構成している。カード搬送経路７５は、一旦スリットガラス１４５の上流側で原稿搬送経路５６に合流し、突当部材１４７の先端部付近で原稿搬送経路５６から分岐して突当部材１４７の貫通穴１４７ａに向かう。
【０１３４】
カードＣは、カード供給トレイ７３により開放される供給口７２から供給され、スリットガラス１４５面上を通過して、排出口１４７ｂに向かってストレート搬送経路としてのカード搬送経路７５を搬送され、突当部材１４７の貫通穴１４７ａに至る。
【０１３５】
カードＣは、その画像が光学走査ユニット４１１及び第２読取装置６９の少なくとも一方によって読み取られた後に、供給口７２に向かってスイッチバックされる。本実施の形態におけるＡＤＦ５は、上記のようにカードＣをスイッチバックするスイッチバック手段として、例えば第１読取ローラ６６や搬送コロ６６Ａを用いる。
【０１３６】
本実施の形態においてレジストセンサ８８は、供給口７２にカードＣがセットされたことを検知する原稿検知手段としても機能する。レジストセンサ８８は、Ｕターン搬送経路５６ｂとカード搬送経路７５とが合流する箇所よりも搬送方向上流側のＵターン搬送経路５６ｂに設けられている。レジストセンサ８８でカードＣの有無を検知することで、カードセット検知センサを別途設けることが不要となり、センサ数を削減することができる。
【０１３７】
図１２は、スリットガラス１４５の下流にある突当部材１４７の他の構成を示す斜視図である。図１２に示すように、突当部材１４７は、その一部がカードＣの幅より若干大きいサイズで切り欠かれた切欠部１４７ｄを有している。
【０１３８】
切欠部１４７ｄは、排出口１４７ｂと、排出口１４７ｂに至るカード搬送経路７５の一部とを構成する。切欠部１４７ｄの底面は、スリットガラス１４５の上面と同一平面上にある。
【０１３９】
カードＣは通常の原稿Ｓと比較して幅が狭いため、図１２の構成でもカードは真っ直ぐ搬送されて切欠部１４７ｄを通り抜ける。このように、突当部材１４７におけるカードＣの搬送路を穴形状ではなく切り欠き形状にすることで、突当部材１４７の生産性や加工性が向上する。
【０１４０】
以下、図１１等を参照しながら、湾曲可能な通常の原稿Ｓの画像読み取り時の動作を説明する。図１１（Ａ）に示すように、原稿トレイ５１（図４参照）にセットされた原稿Ｓは、分離部として機能する給紙ローラ５９及び分離板６０で１枚ずつに分離され、Ｕターン搬送経路５６ｂで折り返されるようにＵターン搬送される。このとき、Ｕターン搬送経路５６ｂの終端部付近に配置されたレジストセンサ８８で先端レジストの調整が行われる。
【０１４１】
そして、スリットガラス１４５において原稿Ｓの表面及び裏面の画像が光学走査ユニット４１１と第２読取装置６９によって同時に読み取られた後、原稿Ｓは、突当部材１４７で掬い上げられ排出トレイ５３（図４参照）に排紙される。
【０１４２】
以下、図１３〜図１８等を参照しながら、湾曲させることが好ましくないカードＣの画像読み取り時の動作を説明する。
【０１４３】
最初に、図１７のフローチャートのステップＳ１において、閉じられていたカード供給トレイ７３（図１１（Ａ）参照）がユーザによって開かれて供給口７２が開放される（図１１（Ｂ）参照）。そして、ユーザによって、カードＣがカード供給トレイ７３にセットされる。このとき図１３に示すように、カードＣが、カード搬送経路７５に設けられたカードピックアップローラ７４のニップ部９に突き当った状態でセットされることで、スキューを抑制することができる。
【０１４４】
次に、ステップＳ２において、カードＣがカード供給トレイ７３にセットされたことをレジストセンサ８８が検知すると、複写機１の本体制御部又はＡＤＦ制御部（以下、単に「制御部」と称する）がカードピックアップローラ７４を所定量回転させる。この回転により、図１４に示すようにカードピックアップローラ７４のニップ部９にカードＣが噛み、カードＣが保持される。これにより、カードＣのセット後、スタートボタンを押すまでの間ユーザ自身がカードＣを保持し続けていなくても、カードＣがカード供給トレイ７３から落下することがなく、ユーザの操作性が向上する。
【０１４５】
次に、ステップＳ３において、ユーザによって、複写機１の上部のオペレーションパネルのスタートボタンが押下される。これにより、制御部はカードＣの搬送を開始する。
【０１４６】
次に、ステップＳ４において制御部は、図１５に示すように、第１読取ローラ６６や搬送コロ６６Ａによってカード搬送経路７５においてカードＣを搬送しながら、第２読取装置６９を用いてカードＣの上面の画像を読み取る。
【０１４７】
ステップＳ４でのカードＣの上面読み取りが終了すると、次にステップＳ５において制御部は、図１６に示すようにカード搬送経路７５においてカードＣのスイッチバック搬送を開始する。
【０１４８】
次に、ステップＳ６において制御部は、カード供給トレイ７３に向かう方向にカードＣをカード搬送経路７５においてスイッチバック搬送しながら、光学走査ユニット４１１を用いてカードＣの下面の画像の読み取りを行う。
【０１４９】
ステップＳ６でのカードＣの下面読み取りが終了すると、ステップＳ７において制御部は、図１４に示すようにカード供給トレイ７３までカードＣを搬送する。
【０１５０】
ステップＳ７でのカードＣの搬送が終了した状態では、カードＣはカードピックアップローラ７４のニップ部９に保持された状態で、その一部が供給口７２から装置外部に突出するようになっている（図１４）。これは小型ＡＤＦの場合、カードＣに対して十分なサイズのカード供給トレイ７３を設けられない場合があり、その様な場合であってもカードＣがカード供給トレイ７３から落下してしまうことを防ぐためである。
【０１５１】
次に、ステップＳ８において制御部は、ステップＳ７で画像読み取りが終了してから一定時間が経過した後に、カード供給トレイ７３からカードＣが取り除かれているか否かを判断する。この判断は、レジストセンサ８８がカードＣの有無を検知しているか否かに基づいて行われる。カード供給トレイ７３からカードＣが取り除かれている場合には、処理を終了する。
【０１５２】
一方、一定時間が経過した後にカード供給トレイ７３からカードＣが取り除かれていない場合、すなわちレジストセンサ８８によってカードＣが一定時間経過後も検知され続けている場合には、制御部はステップＳ９の処理を実行する。
【０１５３】
ステップＳ９において制御部は、複写機１のオペレーションパネルでの警告表示や、オペレーションパネル近傍での警告ランプの点灯、あるいはアラーム音の発生により、カードＣがカード供給トレイ７３に置き忘れられていることをユーザに注意喚起する。これにより、ユーザによるカードＣの置き忘れを防ぐことができる。
【０１５４】
図１７のフローチャートに示した処理において、カードＣの上面と下面の画像読み取りを、供給口７２から排出口１４７ｂに向かう往路と、排出口１４７ｂから供給口７２に向かう復路とで分けて行うのは、制御部の処理負荷を低減させるためである。
【０１５５】
なお、図１７のフローチャートの処理では、往路で第２読取装置６９によりカードＣの上面の画像を読み取り、復路で光学走査ユニット４１１によりカードＣの下面の画像を読み取るとしたが、これに限定されない。往路で光学走査ユニット４１１によりによりカードＣの下面の画像を読み取り、復路で第２読取装置６９によりカードＣの上面の画像を読み取る処理であってもよい。
【０１５６】
一方、制御部の処理負荷は増えてしまうが、図１８のフローチャートに示すように、往路と復路のどちらかで、カードＣの上面と下面の画像を同時に読み取ることも可能である。
【０１５７】
図１８のフローチャートのステップＳ１１〜Ｓ１３，Ｓ１５，Ｓ１６〜Ｓ１８の処理は、上記のステップＳ１〜Ｓ３，Ｓ５，Ｓ７〜Ｓ９の処理とそれぞれ同様である。ステップＳ１４で制御部は、図１５に示すようにカードＣを搬送しながら、第２読取装置６９及び光学走査ユニット４１１を用いてカードＣの上面及び下面を同時に読み取る。
【０１５８】
このように、本実施の形態の画像読取装置は、通常の湾曲可能な原稿Ｓのみならず、湾曲不可能なカードＣについても１アクションで両面画像を自動で読み取ることができる。
【０１５９】
本実施の形態では、複写機１はカードＣの画像を光学走査ユニット４１１及び第２読取装置６９を用いてスリットガラス１４５の位置で読み取るため、特許文献２に開示された画像読取装置と比較して素早くカードＣの画像読み取りを開始できる。これは、本実施の形態では、光学走査ユニット４１１の待機位置をスリットガラス１４５近傍に設定しているのに対して、特許文献２に開示された発明ではスリットガラスから最も離れた位置でカード型原稿を読み取っているためである。そのため、特許文献２に開示された発明では、カード型原稿を読み取るために光学走査ユニット４１１を大幅に移動させねばならず、カード型原稿の読み取り開始まで時間が必要となっていた。
【０１６０】
以上説明したように、本実施の形態の画像読取装置においては、カードＣは、供給口７２から排出口１４７ｂに向かって搬送され、その画像が光学走査ユニット４１１及び第２読取装置６９の少なくとも一方によって読み取られる。その後、カードＣは、供給口７２に向かってスイッチバックされる。
【０１６１】
これにより、カードの画像を読み取るための追加の画像読取装置とカード読取機構用の大きなスペースが不要となるため、例えば小型Ａ４複合機においても、１アクションでカードの両面画像を自動で読み取ることができる。また、画像読み取り後のカードの置き忘れを防止することができる。
【０１６２】
（実施の形態４）
図１９は、本発明の実施の形態４を示す。なお、この実施の形態４において、複写機１の全体図（上記図１相当）及びＡＤＦ５の全体図（上記図４，５相当）の図示は省略し、上記実施の形態１乃至３と同一の構成若しくは機能的に同一の構成には、同一の符号を付してその詳細な説明は省略する。
【０１６３】
この実施の形態４では、上記実施の形態１とは給紙・排紙が上下で逆となっているものである。したがって、第２読取装置６９は、スリットガラス１４５の上方に配置している。これにより、スリットガラス１４５は、プラテンガラス４６と同一平面上に配置することができる。
【０１６４】
そして、このような構成においても、原稿Ｓの画像を読み取る場合には、原稿トレイ５１に原稿Ｓをセットし、図示しないスタートボタンを押下することで最上位の原稿Ｓから順に原稿搬送部５２へと繰り出される。
【０１６５】
そして、図１９（Ａ）に示すように、原稿Ｓは、まず給紙口５５ａからスリットガラス４５の上面へと搬送される。そして、スリットガラス４５の上面を通過する際に、第１読取ローラ６６の加圧でスリットガラス４５に密着されつつ光学走査ユニット４１１により一面（例えば、表面）の画像が読み取られる。この後、図の円で省略するＵターン搬送経路５６ｂで折り返されるようにＵターン搬送される。
【０１６６】
原稿Ｓの他面（例えば、裏面）の画像を読み取る場合には、Ｕターン搬送から排出口５５ｂへと向かう過程で第２読取装置６９を通過する際に、第２読取ローラ７０の加圧で第２読取装置６９に密着されつつ第２読取装置６９により他面の画像が読み取られる。
【０１６７】
そして、他面（例えば、裏面）の画像を読み取った後の原稿Ｓは、排出ローラ対６７により排出口５５ｂから排出トレイ５３に向けて排出される。
【０１６８】
一方、ストレート搬送経路５６ａは、原稿トレイ５１で設定されている最小サイズ原稿（例えば、葉書サイズ）よりも小さい原稿、特に、銀行等のキャッシュカードや各種クレジットカード等のような厚手の樹脂カード類の搬送（受け渡し）が可能となっている。
【０１６９】
すなわち、ストレート搬送経路５６ａは、その全般が同一平面上にあるとともに、カードピックアップローラ７４、搬送ローラ対６４、排出ローラ対６７等のそれぞれの隣接間隔がカードＣの縦サイズ（又は横サイズ）以下で配置されている。
【０１７０】
これにより、カードＣの画像を読み取る場合には、まず、図１９（Ｂ）に示すように、カード供給トレイ７３により供給口７２を開放させる。次に、カード供給トレイ７３にカードＣをセットし、図示しないスタートボタンを押下することで最上位のカードＣから順にカード搬送経路７５へと繰り出される。
【０１７１】
そして、カードＣは、第２読取装置６９を通過する際に、第２読取ローラ７０の加圧で第２読取装置６９に密着されつつ第２読取装置６９により一面（又は他面）他面の画像が読み取られる。
【０１７２】
そして、他面（例えば、裏面）の画像を読み取った後のカードＣは、排出ローラ対６７により排出口５５ｂから排出トレイ５３に向けて排出される。
【０１７３】
このような構成においても、原稿Ｓは１パスで両面画像を自動で読み取ることができ、カードＣは、その一面（片面）のみではあるものの自動で画像を読み取ることができる。
【０１７４】
以上説明したように、本発明は、装置本体の小型化や読み取り時間の短縮化に貢献しつつ、小サイズで厚手の樹脂カード類への読み取りを可能とし、原稿の読み取りの多様化に対応することができるという効果を有し、原稿読取装置（ＡＤＦ）全般にも有用である。
【符号の説明】
【０１７５】
１  画像形成装置（複写機）
３  画像形成部（画像形成手段）
４  画像読取部
５  ＡＤＦ（自動原稿搬送装置）
６  画像読取装置
９  ニップ部
４６  プラテンガラス
５１  原稿トレイ
５２  原稿搬送部
５３  排出トレイ
５５  カバー
５５ａ  給紙口（第１供給口）
５５ｂ  排出口（第１排出口、第２排出口）
５６  原稿搬送経路
５６ａ  ストレート搬送経路
５６ｂ  Ｕターン搬送経路
６６  第１読取ローラ
６６Ａ  搬送コロ
６７  排出ローラ対
６９  第２読取装置
７１  カード供給部
７２  供給口
７３  カード供給トレイ
７４  カードピックアップローラ（搬送ローラ対）
７５  カード搬送経路（ストレート搬送経路）
８８  レジストセンサ
１４５  スリットガラス
１４７  突当部材
１４７ａ  貫通穴
１４７ｂ  排出口（第２排出口）
１４７ｃ  傾斜面
１４７ｄ  切欠部
４１１  光学走査ユニット（第１読取装置）
【先行技術文献】
【特許文献】
【０１７６】
【特許文献１】特開２０１１−６６６７６号公報
【特許文献２】特開２０１１−６１３０７号公報
【図１】
2015164292.tif 000003
【図２】
2015164292.tif 000004
【図３】
2015164292.tif 000005
【図４】
2015164292.tif 000006
【図５】
2015164292.tif 000007
【図６】
2015164292.tif 000008
【図７】
2015164292.tif 000009
【図８】
2015164292.tif 000010
【図９】
2015164292.tif 000011
【図１０】
2015164292.tif 000012
【図１１】
2015164292.tif 000013
【図１２】
2015164292.tif 000014
【図１３】
2015164292.tif 000015
【図１４】
2015164292.tif 000016
【図１５】
2015164292.tif 000017
【図１６】
2015164292.tif 000018
【図１７】
2015164292.tif 000019
【図１８】
2015164292.tif 000020
【図１９】
2015164292.tif 000021